(57)【要約】【課題】音声メッセージを単語や文節に基づいて分割した音声データを組み合わせて音声メッセージを再生する場合において、音声再生コマンドにより分割した音声データの再生順序を指定せずに音声再生を行う音声再生装置、集積回路装置、電子機器を提供すること。【解決手段】少なくとも１つの入力ピンを有する音声再生装置１０は、前記入力ピンからの入力情報に基づいてフレーズの音声情報の再生順序に関するシーケンス情報４４を選択するシーケンス情報選択部２０と、選択された前記シーケンス情報４４に従って前記フレーズに対応する音声情報に基づいて音声を再生する音声再生部３０とを含む。【選択図】図１
2010181471.tif 000002
【特許請求の範囲】
【請求項１】
少なくとも１つの入力ピンを有する音声再生装置であって、
前記入力ピンからの入力情報に基づき、フレーズの音声情報の再生順序に関するシーケンス情報を選択するシーケンス情報選択部と、
選択された前記シーケンス情報に従って前記フレーズに対応する音声情報に基づいて音声を再生する音声再生部と、
を含むことを特徴とする音声再生装置。
【請求項２】
請求項１において、
前記音声再生装置は、
複数の入力ピンを有し、
前記シーケンス情報選択部は、
前記複数の入力ピンからの入力情報の組み合わせに基づいて前記シーケンス情報を選択することを特徴とする音声再生装置。
【請求項３】
請求項１又は２において、
所定のタイミングで、クロックの分周比、音声ボリューム及びサンプリング周波数の少なくとも１つを含む音声再生用パラメーターの初期情報に基づいて初期設定を行う初期設定部と、
を含むことを特徴とする音声再生装置。
【請求項４】
請求項３において、
前記所定のタイミングは、
前記音声再生装置への電源投入に関連して設定されたタイミングであることを特徴とする音声再生装置。
【請求項５】
請求項３において、
前記所定のタイミングは、
前記音声再生装置へのリセット解除に関連して設定されたタイミングであることを特徴とする音声再生装置。
【請求項６】
請求項３において、
前記所定のタイミングは、
前記入力情報の入力に関連して設定されたタイミングであることを特徴とする音声再生装置。
【請求項７】
請求項３乃至６のいずれかにおいて、
前記初期情報設定部は、
前記入力情報により選択された前記シーケンス情報に関連する初期情報に基づいて初期設定を行うことを特徴とする音声再生装置。
【請求項８】
請求項１乃至７のいずれかにおいて、
前記音声再生装置は、
前記シーケンス情報が記憶されたシーケンス情報記憶部を含み、
前記シーケンス情報選択部は、
前記シーケンス情報を前記シーケンス情報記憶部から読み出して選択することを特徴とする音声再生装置。
【請求項９】
請求項２乃至８のいずれかにおいて、
前記音声再生装置は、
前記初期情報が記憶された初期情報記憶部を含み、
前記初期情報設定部は、
前記初期情報を前記初期情報記憶部から読み出して初期設定を行うことを特徴とする音声再生装置。
【請求項１０】
請求項１乃至９のいずれかに記載の音声再生装置を含むことを特徴とする集積回路装置。
【請求項１１】
請求項１０に記載の集積回路装置を含むことを特徴とする電子機器。
【発明の詳細な説明】
【技術分野】
【０００１】
本発明は、音声再生装置、集積回路装置及び電子機器等に関する。
【背景技術】
【０００２】
音声ＩＣを搭載し、音声メッセージを出力する音声再生システムが搭載された電子機器が知られている。
【０００３】
このような音声再生システムにおいては、音声メッセージを複数フレーズに分割し、フレーズ単位でアクセス可能な音声データとして記憶装置等に記憶させた構成が知られている。例えば、音声メッセージを単語や文節に基づいて分割した音声データを用意し、音声データを複数の音声メッセージで共通に利用することにより、必要な音声データの総量を削減することができる。
【特許文献１】特開２００４−２４０００９号公報
【特許文献２】特開平９−１０２８１８号公報
【特許文献３】特開２００７−８６６４４号公報
【発明の開示】
【発明が解決しようとする課題】
【０００４】
音声メッセージを単語や文節に基づいて分割した音声データを組み合わせて音声メッセージを再生する場合には、音声再生コマンドにより分割した音声データの再生順序を指定して行っていた。また、音声メッセージを再生する場合には、ユーザーがＩＣの設定を音声再生前に行わなければならなかった。そのため、ユーザーは、再生順序とＩＣの初期設定を指定した音声コマンドを作成しなければならず、ユーザーの負担となっていた。
【０００５】
また、音声再生前にＩＣの設定を行うことは、ホストの処理負担増の原因となっていた。
【０００６】
本発明は、以上のような問題点に鑑みてなされたものである。本発明のいくつかの態様によれば、音声メッセージを出力する音声再生システムにおいてコマンドの複雑なデコード処理を行わず音声再生を行える音声再生装置、集積回路装置及び電子機器を提供できる。
【課題を解決するための手段】
【０００７】
（１）本発明は、少なくとも１つの入力ピンを有する音声再生装置であって、前記入力ピンからの入力情報に基づきフレーズの音声情報の再生順序に関するシーケンス情報を選択するシーケンス情報選択部と、選択された前記シーケンス情報に従って前記フレーズに対応する音声情報に基づいて音声を再生する音声再生部と、を含むことを特徴とする音声再生装置に関係する。
【０００８】
入力ピンからの入力情報とは、例えば、電気信号のＯＮ／ＯＦＦやＨ／Ｌとして受信した入力情報又は複数の電気信号のＯＮ／ＯＦＦやＨ／Ｌの組み合わせとして受信した入力情報を意味し、シリアルデータからなるコマンドではない。
【０００９】
音声再生部は、入力ピンからの入力情報に基づいて、シーケンス情報選択部が選択した、フレーズの音声情報の再生順序に関するシーケンス情報に従って前記フレーズに対応する音声情報を読み出して音声を再生することができる。
【００１０】
このように、本発明によれば、音声再生装置は、入力ピンからの入力情報に基づいて音声情報の再生順序が特定されるので、複雑なコマンド解釈をしなくても、入力ピンからの入力情報の組み合わせによって特定されたシーケンス情報が選択可能となる。
【００１１】
（２）また、この音声再生装置では、複数の入力ピンを有し、前記シーケンス情報選択部は、前記複数の入力ピンからの入力情報の組み合わせに基づいて前記シーケンス情報を選択してもよい。
【００１２】
（３）また、この音声再生装置では、所定のタイミングで、クロックの分周比、音声ボリューム及びサンプリング周波数の少なくとも１つを含む音声再生用パラメーターの初期情報に基づいて初期設定を行う初期設定部と、を含むようにしてもよい。
【００１３】
（４）また、この音声再生装置では、前記所定のタイミングは、前記音声再生装置への電源投入に関連して設定されたタイミングとしてもよい。
【００１４】
（５）また、この音声再生装置では、前記音声再生装置へのリセット解除に関連して設定されたタイミングとしてもよい。
【００１５】
（６）また、この音声再生装置では、前記所定のタイミングは、前記入力情報の入力に関連して設定されたタイミングとしてもよい。
【００１６】
（７）また、この音声再生装置では、前記初期情報設定部は、前記入力情報により選択された前記シーケンス情報に関連する初期情報に基づいて初期設定を行なってもよい。
【００１７】
（８）また、この音声再生装置は、前記シーケンス情報が記憶されたシーケンス情報記憶部を含み、前記シーケンス情報選択部は、前記シーケンス情報を前記シーケンス情報記憶部から読み出して選択するようにしてもよい。
【００１８】
（９）また、この音声再生装置は、前記初期情報が記憶された初期情報記憶部を含み、前記初期情報設定部は、前記初期情報を前記初期情報記憶部から読み出して初期設定を行うようにしてもよい。
【００１９】
（１０）また本発明は、上記のいずれかに記載の音声再生装置を含む集積回路装置に関係する。
【００２０】
（１１）また本発明は、上記に記載の集積回路装置を含む電子機器に関係する。
【図面の簡単な説明】
【００２１】
【図１】音声再生装置の実施形態の構成例。
【図２】本実施形態の記憶部に記憶された情報の構成例。
【図３】図３（Ａ）音声データ情報と音声データ特定情報の対応例。図３（Ｂ）シーケンス情報とシーケンス特定情報の対応例。
【図４】入力ピンにより特定されるシーケンス情報例。
【図５】本実施形態の他の構成例。
【図６】図６（Ａ）（Ｂ）（Ｃ）初期情報設定のフローチャート。
【図７】本実施形態の他の構成例。
【図８】本実施形態の他の構成例。
【図９】集積回路装置の構成例。
【発明を実施するための形態】
【００２２】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２３】
１．音声再生装置の実施形態
図１に本実施形態の構成例を示す。音声再生装置１０は、少なくとも１つの入力ピン６０を有し、前記入力ピンからの入力情報に基づいて記憶部４０に記憶されたフレーズの音声情報４２の再生順序に関するシーケンス情報４４を選択するシーケンス情報選択部２０と、選択されたシーケンス情報に従ってフレーズに対応する記憶部４０に記憶された音声情報を読み出して音声を再生する音声再生部３０とを含む。
【００２４】
音声データはフレーズ単位で圧縮され、フレーズ単位の音声ファイルとして保持されてもよい。例えばＡＤＰＣＭ形式やＡＡＣ−ＬＣ形式の音声データファイルでもよい。
【００２５】
図２（Ａ）は、音声データの一例である。音声データは、音声メッセージを構成するフレーズの音声情報である。図２（Ｂ）は、シーケンス情報の一例である。シーケンス情報は、フレーズの音声情報の再生順序に関する情報であり、フレーズの音声情報（ｆ１、ｆ２、ｆ３、ｆ４、ｆ５、ｆ６）に対応付けられた音声データ特定情報（ｆ’１、ｆ’２、ｆ’３、ｆ’４、ｆ’５、ｆ’６）の再生順序に従って並べたものでもよい。例えば、音声メッセージとして「ただ今の時刻は、１２時３０分です。」と「ただ今の時刻は、１２時４０分です。」の２種類を再生するための音声データとシーケンス情報とを記憶している場合について説明する。
【００２６】
ｆ１は、「ただいまの」の音声データである。ｆ２は、「じこくは」の音声データである。ｆ３は、「じゅうにじ」の音声データである。ｆ４は、「さんじゅっぷん」の音声データである。ｆ５は、「よんじゅっぷん」の音声データである。ｆ６は、「です」の音声データである。
【００２７】
シーケンス情報１は、音声メッセージ「ただ今の時刻は、１２時３０分です。」を構成する音声データ（ｆ１、ｆ２、ｆ３、ｆ４、ｆ６）に対応付けられた音声データ特定情報（ｆ’１、ｆ’２、ｆ’３、ｆ’４、ｆ’６）を、再生順序に従って並べて構成することができる。シーケンス情報２は、音声メッセージ「ただ今の時刻は、１２時４０分です。」を構成する音声データ（ｆ１、ｆ２、ｆ３、ｆ５、ｆ６）に対応付けられた音声データ特定情報（ｆ’１、ｆ’２、ｆ’３、ｆ’５、ｆ’６）を、再生順序に従って並べて構成することができる。
【００２８】
「ただ今の時刻は、１２時３０分です。」を再生する場合には、シーケンス情報１が選択され、ｆ’１に対応する音声データ「ただいまの」（ｆ１）、ｆ’２に対応する音声データ「じこくは」（ｆ２）、ｆ’３に対応する音声データ「じゅうにじ」（ｆ３）、ｆ’４に対応する音声データ「さんじゅっぷん」（ｆ４）、ｆ’６に対応する音声データ「です」（ｆ６）を順に再生することにより音声メッセージを生成することができる。
【００２９】
また、「ただ今の時刻は、１２時４０分です。」を再生する場合には、シーケンス情報２が選択され、ｆ’１に対応する音声データ「ただいまの」（ｆ１）、ｆ’２に対応する音声データ「じこくは」（ｆ２）、ｆ’３に対応する音声データ「じゅうにじ」（ｆ３）、ｆ’５に対応する音声データ「よんじゅっぷん」（ｆ５）、ｆ’６に対応する音声データ「です」（ｆ６）を順に再生することにより音声メッセージを生成することができる。
【００３０】
記憶部４０に記憶された音声情報４２は、再生対象となる音声データ情報と、音声データを特定する音声データ特定情報４３で構成してもよい。図３（Ａ）（Ｂ）は、再生対象となる音声データ情報４１の一例と、音声データを特定するリンクアドレス（音声データ特定情報４３の一例）の対応例である。図３（Ａ）（Ｂ）では、ａｄ１１、ａｄ１２、ａｄ２１、ａｄ２２、ａｄ２３、ａｄ１３は、それぞれ「ただいまの」に対応する音声データＤ１１、「じこくは」に対応する音声データＤ１２、「じゅうにじ」に対応する音声データＤ２１、「さんじゅっぷん」に対応する音声データＤ２２、「よんじゅっぷん」に対応する音声データＤ２３、「です」に対応する音声データＤ１３を特定するリンクアドレスである。ａｄ１１、ａｄ１２、ａｄ２１、ａｄ２２、ａｄ２３、ａｄ１３は、格納されている音声データへの格納アドレスや格納領域指定であってもよい。
【００３１】
シーケンス情報は、音声メッセージを構成するフレーズを構成する音声データのリンクアドレスを再生順序に従って指定するようにしてもよい。例えば、図３（Ｂ）に示すように、シーケンス情報ｓ３１は、音声メッセージ「ただ今の時刻は、１２時３０分です。」を構成する音声データ（Ｄ１１、Ｄ１２、Ｄ２１、Ｄ２２、Ｄ１３）に対応するリンクアドレス（ａｄ１１、ａｄ１２、ａｄ２１、ａｄ２２、ａｄ１３）を再生順序に並べたものである。また、シーケンス情報ｓ３２は、音声メッセージ「ただ今の時刻は、１２時４０分です。」を構成する音声データ（Ｄ１１、Ｄ１２、Ｄ２１、Ｄ２３、Ｄ１３）に対応するリンクアドレス（ａｄ１１、ａｄ１２、ａｄ２１、ａｄ２３、ａｄ１３）を再生順序に並べたものである。
【００３２】
また、記憶部４０は、シーケンス情報を特定するシーケンス特定情報を含むようにしてもよい。図３（Ｂ）に、シーケンス情報４５と、シーケンス特定情報４７の対応例を示す。図３（Ｂ）のリンクアドレスｓａｄ３１、ｓａｄ３２は、図３（Ｂ）のシーケンス情報ｓ３１、ｓ３２のリンクアドレスである。なお、リンクアドレスによらず、ファイル名によってシーケンス情報を特定してもよい。
【００３３】
例えば、再生対象となる音声メッセージが「ただ今の時刻は、１２時３０分です。」である場合、シーケンス情報ｓ３１のリンクアドレスであるｓａｄ３１を指定してもよい。シーケンス情報選択部２０は、取得したリンクアドレスｓａｄ３１に基づいてシーケンス情報ｓ３１を特定する。そして、シーケンス情報選択部２０は、シーケンス情報ｓ３１に基づいて音声データのリンクアドレスａｄ１１、ａｄ１２、ａｄ２１、ａｄ２２、ａｄ１３を特定し、さらに音声データのリンクアドレスａｄ１１、ａｄ１２、ａｄ２１、ａｄ２２、ａｄ１３に基づいて音声データＤ１１、Ｄ１２、Ｄ２１、Ｄ２２、Ｄ１３が特定され、音声再生装置１０は、リンクアドレスｓａｄ３１に対応した音声メッセージである「ただ今の時刻は、１２時３０分です。」を再生する。
【００３４】
また、この音声再生装置１０では、複数の入力ピンを有し、前記シーケンス情報選択部は、複数の入力ピンからの入力情報の組み合わせに基づいてシーケンス情報を選択してもよい。図４に、入力ピンからの入力情報の組み合わせと選択されるシーケンス情報の対応例を示す。例えば、入力ピン数が２つで、入力情報が「０１」である場合には、選択されるシーケンス情報はｓ０１となる。また、シーケンス情報が、リンクアドレスによって特定される場合には、入力情報とシーケンス情報のリンクアドレスを対応付けておいてもよい。
【００３５】
音声再生装置１０は、入力ピンからの入力情報の組み合わせによってシーケンス情報を選択することができる。
【００３６】
また、図７に示すように、本実施形態の音声再生装置１０では、記憶部４０を含んでもよい。
【００３７】
記憶部４０は、フラッシュメモリーやＲＯＭであってもよい。
【００３８】
２．本実施形態の音声再生装置の他の構成例
図５に本実施形態の音声再生装置の他の構成例を示す。図１と同様の構成については説明を省略する。
【００３９】
本実施形態の音声再生装置１０では、音声情報４２、シーケンス情報４４、クロックの分周比、音声ボリューム及びサンプリング周波数の少なくとも１つを含む音声再生用パラメーターの初期情報４９が記憶された記憶部４０から、所定のタイミングで初期情報を読み出して初期設定を行う初期設定部５０と、を含むようにしてもよい。
【００４０】
本実施形態の音声再生装置１０によれば、初期情報は記憶部４０に記憶され、ユーザーが初期情報を設定しなくても、所定のタイミングで初期情報を読み出して初期設定を行うことができる。
【００４１】
よって、ユーザーは、初期設定を行うタイミングを意識せず、音声再生の指示を出すことが出来る。
【００４２】
また、本実施形態の音声再生装置１０では、所定のタイミングは、音声再生装置１０への電源投入に関連して設定されたタイミングとしてもよい。
【００４３】
本実施形態の音声再生装置１０によれば、電源投入のタイミングで初期情報が設定されるので、ユーザーは電源投入後の初期設定を行なわなくてよい。
【００４４】
また、本実施形態の音声再生装置１０では、所定のタイミングは、音声再生装置１０へのリセット解除に関連して設定されたタイミングとしてもよい。
【００４５】
本実施形態の音声再生装置１０によれば、リセット解除のタイミングで初期情報が設定されるので、ユーザーはリセット解除後の初期設定を行なわなくてよい。
【００４６】
また、本実施形態の音声再生装置１０では、所定のタイミングは、入力情報の入力に関連して設定されたタイミングとしてもよい。
【００４７】
本実施形態の音声再生装置１０によれば、入力情報が入力されたタイミングで初期情報が設定されるので、入力情報を入力する前に初期設定を行なわなくてよい。
【００４８】
図６（Ａ）、図６（Ｂ）は、クロック分周比として２分周、音声ボリューム値として−６ｄＢＦＳ、サンプリング周波数として４８ｋＨｚ、を初期情報として記憶部４０に記憶されている場合において所与のタイミングで初期設定がされる場合の一例を示すフローチャートである。
【００４９】
図６（Ａ）は、音声再生装置１０への電源投入に関連して設定されたタイミングで初期設定する場合の一例を示すフローチャートである。
【００５０】
音声再生装置１０は、電源投入されると（ステップＳ１００）、初期情報を読み出す（ステップＳ１０２）。ここでは、クロック分周比として２分周、音声ボリューム値として−６ｄＢＦＳ、サンプリング周波数として４８ｋＨｚ、の初期情報が記憶部４０から読み出される。次に、読み出した初期情報に基づいて初期設定を行う（ステップＳ１０４）。
【００５１】
図６（Ｂ）は、音声再生装置１０へのリセット解除に関連して設定されたタイミングで初期情報を設定する場合の一例を示すフローチャートである。
【００５２】
音声再生装置１０は、リセット解除されると（ステップＳ２００）、初期情報を読み出す（ステップＳ２０２）。ここでは、クロック分周比として２分周、音声ボリューム値として−６ｄＢＦＳ、サンプリング周波数として４８ｋＨｚ、の初期情報が記憶部４０から読み出される。次に、読み出した初期情報に基づいて初期設定を行う（ステップＳ２０４）。
【００５３】
また、本実施形態の音声再生装置１０では、初期情報は、シーケンス情報に関連して記憶部４０に記憶され、初期情報設定部は、入力情報により選択されたシーケンス情報に関連する初期情報に基づいて初期設定を行なってもよい。
【００５４】
本実施形態の音声再生装置１０によれば、シーケンス情報ごとに異なる初期設定をする場合には、シーケンス情報ごとに関連付けてシーケンス情報に応じて異なる初期情報を記憶させるだけでよい。
【００５５】
記憶部４０は、例えば、「ただ今の時刻は、１２時３０分です。」という音声メッセージを再生する場合において、「ただ今の時刻は、１２時３０分です。」に対応するシーケンス情報ｓ３１に関連して、クロック分周比として２分周、音声ボリューム値として−６ｄＢＦＳ、サンプリング周波数として４８ｋＨｚ、を初期情報４９として記憶させるようにしてもよい。
【００５６】
図６（Ｃ）は、「ただ今の時刻は、１２時３０分です。」という音声メッセージに対応するシーケンス情報ｓ３１に関連付けて、クロック分周比として２分周、音声ボリューム値として−６ｄＢＦＳ、サンプリング周波数として４８ｋＨｚ、が初期情報として記憶部４０に記憶されている場合において、音声再生装置１０への入力情報の入力に関連して設定されたタイミングで初期情報を設定する場合の一例を示すフローチャートである。
【００５７】
音声再生装置１０は、入力情報が入力されると（ステップＳ３００）、初期情報を読み出す（ステップＳ３０２）。例えば、シーケンス情報ｓ３１を指定する入力情報が入力されると、シーケンス情報ｓ３１に関連して記憶された初期情報であるクロック分周比の２分周、音声ボリューム値の−６ｄＢＦＳ、サンプリング周波数の４８ｋＨｚが記憶部４０から読み出される。
【００５８】
次に、読み出した初期情報に基づいて初期設定を行う（ステップＳ３０４）。
【００５９】
次に、音声再生装置は、初期設定された初期情報に基づいて音声メッセージ「ただ今の時刻は、１２時３０分です。」を再生する（ステップＳ３０６）。
【００６０】
また、図７、８に示すように、本実施形態の音声再生装置１０では、記憶部４０を含んでもよい。
【００６１】
記憶部４０は、フラッシュメモリーやＲＯＭであってもよい。
【００６２】
３．集積回路装置
図９は、本実施の形態の集積回路装置について説明するための図である。
【００６３】
集積回路装置２００は、ホストＣＰＵ１００とともに電子機器に実装され、ホストＣＰＵ１００からの制御コマンドによって動作し、電子機器に搭載されるホストＣＰＵ１００をホストとするコンパニオンチップとして動作する。集積回路装置２００は、ホストＣＰＵ１００から発行されるコマンドで制御される。コマンドとしては、集積回路装置２００の起動やデータ転送、再生／停止などの音声処理などが用意されている。
【００６４】
ホストＣＰＵ１００は、電子機器に実装され電子機器の主制御や全体制御を行う電子機器組み込みのマイクロコンピュータ等である。
【００６５】
集積回路装置２００は、シーケンスデータ格納ＲＯＭ１４０を含んでもよい。シーケンスデータ格納ＲＯＭ１４０は、音声データの再生順序であるシーケンス情報を記憶する。シーケンスデータ格納ＲＯＭ１４０は、図１の記憶部４０に相当する。
【００６６】
集積回路装置２００は、音声データ格納ＲＯＭ１５０を含んでもよい。音声データ格納ＲＯＭ１５０は、再生対象となる音声メッセージを構成する各フレーズに対応した音声データが格納されるメモリである。音声データは、後述する音声再生装置１０で再生可能なＰＣＭデータ（例えばＡＤＰＣＭ／ＡＡＣ−ＬＣ）等の音声データが圧縮した形式で記憶されている。音声データ格納ＲＯＭ１５０は、図１の記憶部４０に相当する。
【００６７】
集積回路装置２００は、音声再生装置１０を含む。音声再生装置１０は、音声再生コマンドを受け取り、受け取った音声再生コマンドに基づき、シーケンスデータ格納ＲＯＭ１４０に記憶されたシーケンス情報に対応した音声データを音声データ格納ＲＯＭ１５０から読み出して再生出力する。音声再生コマンドには、入力ピンからの情報を含む。
【００６８】
音声再生装置１０は、制御回路１２０、メモリ制御回路１３０、シーケンスデータ格納ＲＯＭ１４０、音声データ格納ＲＯＭ１５０、音声デコーダー１６０、Ｄ／Ａコンバータ１７０を含んで構成することが可能である。
【００６９】
制御回路１２０は、ホストＣＰＵ１００とのコマンドやデータのやり取りの制御を行うもので、例えばホストＣＰＵ１００から受け取った各種コマンドの処理（集積回路装置２の起動やデータ転送、再生／停止などの音声処理等）や、ホストＣＰＵ１００との通信のハンドシェイク処理等を行う。制御回路１２０は、図１のシーケンス情報選択部２０に相当する。
【００７０】
メモリ制御回路１３０は、入力されたシーケンス特定情報に対応したシーケンス情報を、シーケンスデータ格納ＲＯＭ１４０から読み出す制御と、シーケンス情報に対応した音声データを音声データ格納ＲＯＭ１５０から出力する制御を行う。メモリ制御回路１３０は、図１のシーケンス情報選択部２０に相当する。
【００７１】
音声デコーダー１６０は、音声データ記憶部１５０に格納された音声データをデコードする。再生オーディオフォーマットは、例えばＡＤＰＣＭ／ＡＡＣ−ＬＣがサポートされるようにしてもよい。音声デコーダー１６０は、図１の音声再生部３０に相当する。
【００７２】
Ｄ／Ａコンバーター１７０は、音声デコーダー１６０によりデコードされたデータをＤ／Ａ変換してスピーカー１１０へ出力する。Ｄ／Ａコンバーター１７０は、図１の音声再生部３０に相当する。
【００７３】
ホストＣＰＵ１００は、再生する音声メッセージに対応するシーケンス情報を特定するシーケンス特定情報（入力ピンからの入力情報に相当）を音声再生装置１０への入力情報として出力する。
【００７４】
音声再生装置１０への入力情報は、制御回路１２０に入力される。制御回路１２０は、入力情報を処理し、メモリ制御回路１３０へシーケンス特定情報を出力する。
【００７５】
メモリ制御回路１３０は、入力されたシーケンス特定情報に対応したシーケンス情報を、シーケンスデータ格納ＲＯＭ１４０から読み出す。メモリ制御回路１３０は、シーケンスデータ格納ＲＯＭ１４０から読み出したシーケンス情報に基づき、音声データ格納ＲＯＭ１５０に記憶された音声データを音声デコーダー１６０へ出力する。
【００７６】
音声デコーダー１６０は、入力された音声デコーダーをデコードし、Ｄ／Ａコンバーター１７０へ出力する。
【００７７】
Ｄ／Ａコンバーター１７０は、デコードされた音声データをＤ／Ａ変換してスピーカー１１０へ出力する。
【００７８】
なお、本発明は本実施の形態に限定されず、本発明の要旨の範囲内で種々の変形実施が可能である。
【００７９】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００８０】
１０  音声再生装置、２０  シーケンス情報選択部、３０  音声再生部、４０  記憶部、
４２  音声情報、４４  シーケンス情報、
４９  初期情報、５０  初期設定部、１００  ホストＣＰＵ、
１１０  スピーカー、１２０  制御回路、１３０  メモリ制御回路、
１４０  シーケンスデータ格納ＲＯＭ、
１５０  音声データ格納ＲＯＭ、１６０  音声デコーダー、
１７０  Ｄ／Ａコンバーター
【図１】
2010181471.tif 000003
【図２】
2010181471.tif 000004
【図３】
2010181471.tif 000005
【図４】
2010181471.tif 000006
【図５】
2010181471.tif 000007
【図６】
2010181471.tif 000008
【図７】
2010181471.tif 000009
【図８】
2010181471.tif 000010
【図９】
2010181471.tif 000011